(57)【要約】【課題】  電気光学パネル側のパッドと他の部品の端子とを高い精度で電気的に接続することができる電気光学装置を提供する。【解決手段】  電気光学装置１０は、複数のＥＬ（エレクトロルミネセント）素子３３が配列され、これらのＥＬ素子３３に電気的に接続されたパッド４０が所定の間隔で配列された電気光学パネル３０と、ＥＬ素子３３の駆動または制御用のＩＣ（集積回路）素子３６と、ＩＣ素子３６に電気的に接続されたリード３９が上記所定の間隔で配列されたＦＰＣ（フレキシブルプリント基板）３５とを備える。パッド４０間には電気光学パネル３０からテーパ状に突出した絶縁性のバンク４２があり、リード３９はＦＰＣ３５からテーパ状に突出している。パッド４０に対するバンク４２の高さはリード３９の高さ以下であり、パッド４０とリード３９はＡＣＰ（異方性導電ペースト）４１を介して導通する。【選択図】  図６
2006251281.tif 000002
【特許請求の範囲】
【請求項１】
与えられた電気エネルギにより発光特性または光の透過特性が変化する複数の電気光学素子が配列され、前記複数の電気光学素子に電気的に接続されたパッドが所定の間隔で配列された電気光学パネルと、
前記電気光学パネルに電気的に接続され、前記電気光学素子を駆動または制御する回路を内部に有する集積回路素子と、
前記集積回路素子が搭載されており、前記集積回路素子の内部の回路に電気的に接続されたリードが前記所定の間隔で配列されたフレキシブルプリント基板とを備え、
前記パッドの間には前記電気光学パネルからテーパ状に突出した絶縁性のバンクが設けられており、
前記リードは前記フレキシブルプリント基板からテーパ状に突出した形状を有し、
前記パッドに対する前記バンクの高さは前記リードの高さ以下であり、
前記電気光学パネルおよび前記フレキシブルプリント基板は、前記パッドと前記リードとが接触または近接して導通するように配置されていることを特徴とする電気光学装置。
【請求項２】
与えられた電気エネルギにより発光特性または光の透過特性が変化する複数の電気光学素子が配列され、前記複数の電気光学素子に電気的に接続されたパッドが所定の間隔で配列された電気光学パネルと、
前記電気光学パネルに電気的に接続され、前記電気光学素子を駆動または制御する回路を内部に有し、前記集積回路素子の内部の回路に電気的に接続されたバンプが前記所定の間隔で配列された集積回路素子を備え、
前記パッドの間には前記電気光学パネルからテーパ状に突出した絶縁性のバンクが設けられており、
前記バンプは前記集積回路素子からテーパ状に突出した形状を有し、
前記パッドに対する前記バンクの高さは前記バンプの高さ以下であり、
前記電気光学パネルおよび前記集積回路素子は、前記パッドと前記バンプとが接触または近接して導通するように配置されていることを特徴とする電気光学装置。
【請求項３】
与えられた電気エネルギにより発光特性または光の透過特性が変化する複数の電気光学素子が配列され、前記複数の電気光学素子に電気的に接続されたパッドが所定の間隔で配列された電気光学パネルと、前記電気光学パネルに電気的に接続され、前記電気光学素子を駆動または制御する回路を内部に有する集積回路素子と、前記集積回路素子が搭載されており、前記集積回路素子の内部の回路に電気的に接続されたリードが前記所定の間隔で配列されたフレキシブルプリント基板とを備える電気光学装置の製造方法であって、
前記電気光学パネルに前記パッドを保護するための絶縁層を形成する工程と、
前記絶縁層の上に絶縁体を積層することにより、前記パッドに対する高さが前記リードの高さ以下となる絶縁性のバンクを前記パッドの間に形成する工程と、
前記パッドと前記リードとが接触または近接して導通するように前記電気光学パネルと前記フレキシブルプリント基板とを固定する工程とを有することを特徴とする電気光学装置の製造方法。
【請求項４】
与えられた電気エネルギにより発光特性または光の透過特性が変化する複数の電気光学素子が配列され、前記複数の電気光学素子に電気的に接続されたパッドが所定の間隔で配列された電気光学パネルと、前記電気光学パネルに電気的に接続され、前記電気光学素子を駆動または制御する回路を内部に有し、前記集積回路素子の内部の回路に電気的に接続されたバンプが前記所定の間隔で配列された集積回路素子を備える電気光学装置の製造方法であって、
前記電気光学パネルに前記パッドを保護するための絶縁層を形成する工程と、
前記絶縁層の上に絶縁体を積層することにより、前記パッドに対する高さが前記バンプの高さ以下となる絶縁性のバンクを前記パッドの間に形成する工程と、
前記パッドと前記バンプとが接触または近接して導通するように前記電気光学パネルと前記集積回路素子とを固定する工程とを有することを特徴とする電気光学装置の製造方法。
【請求項５】
像担持体と、
前記像担持体を帯電する帯電器と、
前記電気光学パネルから放出される光を、前記像担持体の帯電された面に照射して潜像を形成する請求項１または請求項２に記載の電気光学装置と、
前記潜像にトナーを付着させることにより前記像担持体に顕像を形成する現像器と、
前記像担持体から前記顕像を他の物体に転写する転写器とを備える画像形成装置。
【請求項６】
請求項１または請求項２に記載の電気光学装置と、
前記電気光学パネルから放出されて読み取り対象で反射した光を電気信号に変換する受光装置とを備える画像読み取り装置。
【発明の詳細な説明】
【技術分野】
【０００１】
本発明は、発光素子またはライトバルブ素子が配列された電気光学パネルを有する電気光学装置およびその製造方法、ならびにこの電気光学装置を用いる装置に関する。
【背景技術】
【０００２】
発光素子またはライトバルブ素子、すなわち電気光学素子が配列された電気光学パネルは、画像表示装置として広く使用されている。また、このような電気光学パネルは、電子写真方式の画像印刷装置の像担持体（例えば感光体ドラム）に静電潜像を書き込むための発光装置としても使用されている。このように各種装置に用いられる電気光学パネルは、電気光学素子を駆動または制御するための他の回路に以下のように様々な方式で接続されている。
【０００３】
図１は、従来の電気光学装置の側面図である。
この電気光学装置は、主基板１２と封止体１４を有する電気光学パネルを備える。この電気光学パネルは、エレクトロルミネセント（以下、「ＥＬ」と略す）パネルであり、主基板１２の上に形成された多数のＥＬ素子１６を有する。封止体１４は、主基板１２の上に貼着され、主基板１２と協働してＥＬ素子１６を外気から保護する。
【０００４】
主基板１２にはＦＰＣ（フレキシブルプリント基板）２０が実装されている。ＦＰＣ２０の上面には、ＣＯＦ（chip on film）方式により、ＩＣ（集積回路）素子１８が実装されている。図１において、符号２２は、ＦＰＣ２０にＩＣ素子１８が実装されたＣＯＦアセンブリを示す。ＩＣ素子１８は、ＥＬ素子１６を駆動または制御する回路を内部に有する。例えば、一つのＦＰＣ２０に実装されているＩＣ素子１８は走査線駆動回路であり、他の一つのＦＰＣ２０に実装されているＩＣ素子１８はデータ線駆動回路である。図示しないが、ＦＰＣ２０の下面には、外部の電源回路に接続された電源線および外部の信号供給回路に接続された信号線が形成されている。ＩＣ素子１８には、ＦＰＣ２０上の電源線を介して電力が供給され、ＦＰＣ２０上の信号線を介して信号が供給される。
【０００５】
図２は、図１のＦＰＣ２０の下面図であり、図１の部分Ａを拡大して示している。
ＦＰＣ２０には、ＦＰＣ２０上のＩＣ素子１８を外部の装置と接続する一次配線２４と、主基板１２に貼着されてＩＣ素子１８を主基板１２上の多数のＥＬ素子１６と接続する二次配線が形成されている。ＩＣ素子１８と一次配線２４および二次配線との接続は図示しないスルーホールを介して行われている。一次配線２４としては、外部の電源回路に接続された電源線および外部の信号供給回路に接続された信号線がある。二次配線としては、走査線またはデータ線があり、その先端はリード２６となっている。
【０００６】
図３は、図１のＢ−Ｂ’断面図である。
ＦＰＣ２０においてリード２６は所定の間隔で配列されている。発光パネル１２では、この間隔と同一の間隔でパッド２７が配列されている。パッド２７はＩＴＯ（Indium-Tin Oxide）から形成されており、多数のＥＬ素子１６に接続されている。リード２６の数とパッド２７の数は等しく、リード２６はＡＣＦ（異方性導電フィルム）２８を挟んでパッド２７と対向している。発光パネル１２とＦＰＣ２０はＡＣＦ２８により接着されており、対向するリード２６およびパッド２７のみが導通するようになっている。また、発光パネル１２において、パッド２７間には、パッド２７同士の短絡を防ぐために絶縁体からなるパッシベーション層が形成されている。
【０００７】
発光パネル１２とＦＰＣ２０とをＡＣＦ２８により圧着する際には、発光パネル１２にＦＰＣ２０を仮止めし、リード２６とパッド２７とが対向するようにアライメントを行った上で熱圧着を行う。熱圧着では、図示しない圧着ヘッドにより、ＦＰＣ２０を介して、ＡＣＦ２８に加熱および加圧が行われる。
上述した電気光学装置と類似の装置を開示した文献としては、特許文献１および特許文献２がある。
【０００８】
【特許文献１】特開２０００−５８２５５号公報
【特許文献２】特開２００１−１３００４８号公報
【発明の開示】
【発明が解決しようとする課題】
【０００９】
上記の電気光学装置では、熱圧着の際に、ポリイミドフィルムなどの熱膨張率が高い材料から形成されているＦＰＣ２０が熱膨張してリード２６とパッド２７とが正しく対向しないことがある。この問題は、電気的接続の精度の低下に直結しており、特に、配列の間隔やサイズが微細な端子（リードやパッド等）を接続する必要がある場合に深刻となる。
【００１０】
そこで本発明は、電気光学パネル側のパッドと他の部品の端子とを高い精度で電気的に接続することができる電気光学装置およびその製造方法、ならびにこの電気光学装置を用いた画像形成装置および画像読み取り装置を提供する。
【課題を解決するための手段】
【００１１】
本発明に係る電気光学装置は、与えられた電気エネルギにより発光特性または光の透過特性が変化する複数の電気光学素子が配列され、前記複数の電気光学素子に電気的に接続されたパッドが所定の間隔で配列された電気光学パネルと、前記電気光学パネルに電気的に接続され、前記電気光学素子を駆動または制御する回路を内部に有する集積回路素子と、前記集積回路素子が搭載されており、前記集積回路素子の内部の回路に電気的に接続されたリードが前記所定の間隔で配列されたフレキシブルプリント基板とを備え、前記パッドの間には前記電気光学パネルからテーパ状に突出した絶縁性のバンクが設けられており、前記リードは前記フレキシブルプリント基板からテーパ状に突出した形状を有し、前記パッドに対する前記バンクの高さは前記リードの高さ以下であり、前記電気光学パネルおよび前記フレキシブルプリント基板は、前記パッドと前記リードとが接触または近接して導通するように配置されていることを特徴とする。
【００１２】
また、本発明に係る別の電気光学装置は、与えられた電気エネルギにより発光特性または光の透過特性が変化する複数の電気光学素子が配列され、前記複数の電気光学素子に電気的に接続されたパッドが所定の間隔で配列された電気光学パネルと、前記電気光学パネルに電気的に接続され、前記電気光学素子を駆動または制御する回路を内部に有し、前記集積回路素子の内部の回路に電気的に接続されたバンプが前記所定の間隔で配列された集積回路素子を備え、前記パッドの間には前記電気光学パネルからテーパ状に突出した絶縁性のバンクが設けられており、前記バンプは前記集積回路素子からテーパ状に突出した形状を有し、前記パッドに対する前記バンクの高さは前記バンプの高さ以下であり、前記電気光学パネルおよび前記集積回路素子は、前記パッドと前記バンプとが接触または近接して導通するように配置されていることを特徴とする。
【００１３】
ここで、「電気光学素子」とは、与えられた電気的なエネルギにより光学的特性（発光特性または光の透過特性）が変化する素子を意味する。電気的なエネルギにより光学的特性が変化する素子としては、電気的なエネルギを光学的エネルギに変換する発光素子（例えばエレクトロルミネセント発光素子、プラズマディスプレイ素子）および電気的エネルギにより光の透過率が変化するライトバルブ画素（例えば液晶の画素、電気泳動ディスプレイの画素）がある。「電気光学パネル」は、電気光学素子のアレイが設けられたパネルである。電気光学パネルとしては、画像表示パネルでもよいし、発光パネルでもよい。例えば、電子写真方式の画像印刷装置の像担持体（例えば感光体ドラム）に静電潜像を書き込むための露光装置でもよい。
【００１４】
上記の電気光学装置によれば、リードまたはバンプはフレキシブルプリント基板からテーパ状に突出しており、バンクは電気光学パネルからテーパ状に突出しているから、製造時において、両者を噛み合わせてリードまたはバンプの先端面とパッドの上面（電気光学パネルとの接触面の反対の面）とを正しく対向させることが容易となる。これは、リードまたはバンプとパッドとの電気的接続の精度向上に寄与する。つまり、本発明によれば、電気光学パネルのパッドと他の部品の端子（リードまたはバンプ）とを、製造時において、高い精度で電気的に接続することができる。これは、電気光学装置のみならず、電気光学装置を用いた装置の品質の向上にも寄与する。
【００１５】
本発明に係る電気光学装置の製造方法は、与えられた電気エネルギにより発光特性または光の透過特性が変化する複数の電気光学素子が配列され、前記複数の電気光学素子に電気的に接続されたパッドが所定の間隔で配列された電気光学パネルと、前記電気光学パネルに電気的に接続され、前記電気光学素子を駆動または制御する回路を内部に有する集積回路素子と、前記集積回路素子が搭載されており、前記集積回路素子の内部の回路に電気的に接続されたリードが前記所定の間隔で配列されたフレキシブルプリント基板とを備える電気光学装置の製造方法であって、前記電気光学パネルに前記パッドを保護するための絶縁層を形成する工程と、前記絶縁層の上に絶縁体を積層することにより、前記パッドに対する高さが前記リードの高さ以下となる絶縁性のバンクを前記パッドの間に形成する工程と、前記パッドと前記リードとが接触または近接して導通するように前記電気光学パネルと前記フレキシブルプリント基板とを固定する工程とを有することを特徴とする。
【００１６】
また、本発明に係る別の電気光学装置の製造方法は、与えられた電気エネルギにより発光特性または光の透過特性が変化する複数の電気光学素子が配列され、前記複数の電気光学素子に電気的に接続されたパッドが所定の間隔で配列された電気光学パネルと、前記電気光学パネルに電気的に接続され、前記電気光学素子を駆動または制御する回路を内部に有し、前記集積回路素子の内部の回路に電気的に接続されたバンプが前記所定の間隔で配列された集積回路素子を備える電気光学装置の製造方法であって、前記電気光学パネルに前記パッドを保護するための絶縁層を形成する工程と、前記絶縁層の上に絶縁体を積層することにより、前記パッドに対する高さが前記バンプの高さ以下となる絶縁性のバンクを前記パッドの間に形成する工程と、前記パッドと前記バンプとが接触または近接して導通するように前記電気光学パネルと前記集積回路素子とを固定する工程とを有することを特徴とする。
【００１７】
上記の製造方法によれば、パッドを保護するための絶縁層の上に絶縁体が積層されてバンクが形成される。バンクの高さは絶縁層の高さよりも高くなるから、バンクを形成しない場合に比較して、リード（バンプ）またはパッドがパッドの配列方向にずれる動きに対する抑止力が向上する。また、絶縁層を形成する一般的な製造工程を大きく変えることなく、上記の抑止力に優れた電気光学装置を製造することができる。つまり、本発明によれば、電気光学パネルのパッドと他の部品の端子（リードまたはバンプ）とを高い精度で電気的に接続することが容易となる。
【００１８】
また、本発明に係る画像形成装置は、像担持体と、前記像担持体を帯電する帯電器と、前記電気光学パネルから放出される光を、前記像担持体の帯電された面に照射して潜像を形成する請求項１または請求項２に記載の電気光学装置と、前記潜像にトナーを付着させることにより前記像担持体に顕像を形成する現像器と、前記像担持体から前記顕像を他の物体に転写する転写器とを備える。本発明の電気光学装置が使用されていることにより、この画像印刷装置も品質を向上させることができる。
また、本発明に係る画像読み取り装置は、請求項１または請求項２に記載の電気光学装置と、前記電気光学パネルから放出されて読み取り対象で反射した光を電気信号に変換する受光装置とを備える。本発明の電気光学装置が使用されていることにより、この画像読み取り装置も品質を向上させることができる。
【発明を実施するための最良の形態】
【００１９】
以下、添付の図面を参照しながら本発明に係る様々な実施の形態を説明する。なお、図面においては、各部の寸法の比率は実際のものとは適宜に異ならせてある。
【００２０】
＜実施の形態＞
図４は、本発明の実施の形態に係る電気光学装置１０の概略を示す側面図である。図に示すように、電気光学装置１０は、主基板３１と封止体３２を有する電気光学パネル３０を備える。電気光学パネル３０は、画像表示用のＥＬパネルであり、主基板３１の上に形成された多数のＥＬ素子３３を有する。ここで、ＥＬ素子３３は有機ＥＬ素子でもよいし、無機ＥＬ素子でもよい。封止体３２は、主基板３１の上に接着剤で貼着され、主基板３１と協働してＥＬ素子３３を外気から保護する。
【００２１】
電気光学パネル３０の主基板１２の縁部には、ＣＯＦアセンブリ３４が実装されている。図４では１つのＣＯＦアセンブリ３４のみを示しているが、主基板１２の他の縁部にはもう１つのＣＯＦアセンブリが実装されている。ＣＯＦアセンブリ３４は、ＦＰＣ（フレキシブルプリント基板）３５とその上面に実装されたＩＣ（集積回路）素子３６を有する。ＩＣ素子３６は、ＥＬ素子３３を駆動または制御する回路を内部に有する。例えば、一つのＩＣ素子３６は走査線駆動回路であり、もう一つのＩＣ素子（図示略）はデータ線駆動回路である。ＦＰＣ３５は例えばポリイミドフィルムから形成され、図４には示されないが、ＦＰＣ３５の下面には、外部の電源回路に接続された電源線および外部の信号供給回路に接続された信号線が形成されている。
【００２２】
図５は、図４のＦＰＣ３５の下面図であり、図４の部分Ｃを拡大して示している。
ＦＰＣ３５には、ＦＰＣ３５上のＩＣ素子３６を外部の装置と接続する一次配線３７とＩＣ素子３６を主基板３１上の多数のＥＬ素子３３と接続する二次配線３８が形成されている。一次配線３７としては、外部の電源回路に接続された電源線および外部の信号供給回路に接続された信号線がある。すなわち、ＩＣ素子３６には一次配線３７を介して電力および信号が供給される。二次配線３８としては、走査線またはデータ線があり、その先端はリード３９となっている。ＩＣ素子３６と一次配線３７および二次配線３８との接続は図示しないスルーホールを介して行われている。なお、ＩＣ素子３６をＦＰＣ３５の下面に実装してもよく、その場合にはスルーホールを介さずにＩＣ素子３６と一次配線３７および二次配線３８を接続することになる。
【００２３】
図６は、図４のＤ−Ｄ’断面図である。
ＦＰＣ３５においてリード３９は所定の間隔で配列されている。リード３９はＦＰＣ３５の下面からテーパ状に突出して形成されており、その断面は略台形となっている。全てのリード３９の高さは同一であり、一般的なリードよりも遥かに高くなっている。リード３９の具体的な高さとしては、例えば９〜１２μｍが好適である。
【００２４】
一方、主基板３１にはリード３９の配列間隔と同一の間隔でパッド４０が配列されている。パッド４０はＩＴＯ（Indium-Tin Oxide）から形成された層であり、多数のＥＬ素子３３に接続されている。リード３９の数とパッド４０の数は等しく、各リード３９の先端面はＡＣＰ（異方性導電ペースト）４１を挟んで各パッド４０の上面（主基板３１との接触面の反対側の面）と対向している。つまり、リード３９とパッド４０はＡＣＰ４１を用いて圧着されており、対向するリード３９およびパッド４０のみが導通するようになっている。
【００２５】
また、主基板３１にはパッド４０の配列間隔と同一の間隔で絶縁体から形成されたバンク４２が配列されている。バンク４２およびパッド４０は交互に配置されており、パッド４０同士が導通しないようになっている。バンク４２は主基板３１の上面からテーパ状に突出して形成されており、その断面は略台形となっている。全てのバンク４２の高さは同一であり、パッド間の短絡を防止するための一般的なパッシベーション層よりも遥かに高くなっている。
【００２６】
パッド４０に対するバンク４２の高さ、すなわちバンク４２の高さからパッド４０の厚さを減じた長さは、リード３９の高さ以下であり、ＡＣＰ４１の厚さを上回っている。つまり、リード３９とパッド４０との接着が阻害されず、かつリード３９およびバンク４２の配列方向（以降、「アライメント方向」と呼ぶ）においてリード３９とバンク４２とが重なるようになっている。リード３９とバンク４２とが重なるようにするのは、リード３９またはパッド４０がアライメント方向にずれようとする動きをリード３９とバンク４２との当接により抑止するためであり、この抑止を実現可能なように、パッド４０に対するバンク４２の高さがＡＣＰ４１の厚さを上回る程度やバンク４２の材質などを選択するのが望ましい。なお、バンク４２の断面の斜辺の傾きとリード３９の断面の斜辺の傾きは任意であるが、本実施形態では両者が略平行となっている。
【００２７】
次に、電気光学装置１０の製造方法を述べる。
まず図７に示すように、リード３９が設けられたＦＰＣ３５を準備する。このＦＰＣ３５にはＩＣ素子３６、一次配線３７、２次配線３８も設けられている。また、パッド４０およびバンク４２が設けられた主基板３１を準備する。この主基板３１には多数のＥＬ素子３３が設けられており、これらのＥＬ素子３３がパッド４０に接続されている。また、主基板３１上にはＥＬ素子３３を外気から保護するための封止体３２が貼着されている。
【００２８】
バンク４２の形成方法は任意である。例えば、パッド間の短絡を防止するための一般的なパッシベーション層をパッド４０間に設け、パッシベーション層の上に絶縁体を盛ってバンク４２を形成するようにしてもよい。この場合、パッシベーション層の上に絶縁体を盛る方法として、ＥＬ素子３３を形成するときに用いる方法を採用することもできる。さらに、ＥＬ素子３３の形成作業とバンク４２の形成作業とを同時に進行させることも可能である。なお、一般に、パッドに対するパッシベーション層の高さは１００ｎｍ程度であり、この程度の高さでは、上記の抑止は不可能である。
【００２９】
次に図８に示すように、パッド４０の上面にＡＣＰ４１を流し込む。硬化前のＡＣＰ４１は流動性が高いが、バンク４２が壁となるから、ＡＣＰ４１は適切な位置にとどまる。次にリード３９の先端面とパッド４０の上面が対向するように主基板３１およびＦＰＣ３５のアライメントを行う。次に圧着ヘッド４３によりリード３９とバンク４２とを熱圧着する。具体的には、圧着ヘッド４３によりＦＰＣ３５に熱および圧力を加え、ＦＰＣ３５を主基板３１に押し付ける。ＦＰＣ３５に加えられた熱および圧力はＡＣＰ４１に伝わる。これにより、ＡＣＰ４１が硬化してリード３９とバンク４２との圧着が行われる。この圧着により、リード３９とパッド４０とがＡＣＰ４１を介して導通する。
【００３０】
圧着の際、ＦＰＣ３５が熱により変形し、アライメントが狂う虞があるが、リード３９およびバンク４２はテーパ状であるから、リード３９の先端面がバンク４２の先端面に当接する可能性は極めて低い。そして、リード３９およびバンク４２が噛み合った後は、リード３９はバンク４２の傾斜に導かれてＡＣＰ４１に達する。よって、この製造方法によれば、リード３９とパッド４０とを高い精度で電気的に接続する作業を容易に行うことができる。なお、圧着の際、余剰のＡＣＰ４１はリード３９により押し出されてリード３９とバンク４２との間に入り込むが、バンク４２は絶縁体であるから、不適切な接続が為されることはない。
【００３１】
こうして、図９に示すように、リード３９の先端面とパッド４０の上面とがＡＣＰ４１を挟んで対向した状態で圧着が完了する。この状態では、アライメント方向においてリード３９とバンク４２とが重なる。したがって、リード３９またはパッド４０がアライメント方向においてずれようとする動きは、リード３９とバンク４２との当接により抑止される。よって、以降、アライメントが狂う可能性は極めて低い。
【００３２】
この実施の形態によれば、リード３９はＦＰＣ３５からテーパ状に突出しており、バンク４２は主基板３１からテーパ状に突出しているから、両者を噛み合わせてリード３９の先端面とバンク４２の上面とを正しく対向させることが容易となる。これは、リード３９とパッド４０との電気的接続の精度向上に寄与する。また、リード３９とバンク４２との当接により抑止も電気的接続の精度向上に寄与する。電気的接続の精度向上は電気光学装置１０のみならず、電気光学装置１０を用いた装置の品質の向上にも寄与する。
【００３３】
また、この実施の形態によれば、パッド間の短絡を防止するための一般的なパッシベーション層をパッド４０間に設け、パッシベーション層の上に絶縁体を盛ってバンク４２を形成することもできる。この場合、バンク４２の高さはパッシベーション層の高さよりも高くなるから、リード３９またはパッド４０がアライメント方向にずれる動きに対する抑止力が確実に向上する。また、従来の電気光学装置の製造工程を大きく変えることなく、電気光学装置１０を製造することができる。また、パッシベーション層の上に絶縁体を盛る方法として、ＥＬ素子３３を形成するときに用いる方法を採用することも可能であり、電気光学装置１０を効率的に製造することができる。
【００３４】
＜変形例＞
上述した実施の形態を、以下に列挙するように変形してもよい。
図１０は本発明の実施の形態を変形して得られる電気光学装置の製造方法の一工程を示す図である。この変形例の電気光学装置が電気光学装置１０と異なる点は、ＡＣＰ４１に代えてＡＣＦ（異方性導電フィルム）４４を用いる点である。製造工程において、ＡＣＦ４４は主基板３１側にあってもよいしＦＰＣ３５側にあってもよいが、図では、リード３９の先端面に架けわたされている。なお、ＡＣＦ４４の図示しない端部は固定されている。この状態で、圧着ヘッド４３による圧着が行われる。この結果、リード３９とパッド４０とがＡＣＦ４４を介して導通する。ＡＣＦ４４は圧着の過程で破断してもよいし破断しなくてもよい。いずれの場合でも不適切な導通は生じない。
【００３５】
図１１は本発明の実施の形態を変形して得られる電気光学装置の概略を示す断面図である。この変形例の電気光学装置が電気光学装置１０と異なる点は、ＡＣＰ４１に代えてＮＣＰ（Non-Contact Paste）やＮＣＦ（Non-Contact Film）等の、導電材料を含まない接着剤４５を用いる点である。ただし、ＡＣＰ４１がリード３９とパッド４０とを圧着するために用いられるのに対し、接着剤４５はリード３９とバンク４２とを接着するために用いられる。具体的には、図に示すように、リード３９の先端面とパッド４０の上面は直接的に接触しており、接着剤４５はリード３９とバンク４２との間に介在している。
【００３６】
また、上述した実施の形態ではリード３９およびバンク４２の形状を、所定の断面での形状が台形となるようにしたが、テーパ状であれば、他の形状であってもよい。例えば、断面形状が半円状となる形状としてもよいし、断面形状が三角形となる形状としてもよい。また、リード３９の断面形状とバンク４２の断面形状は一致していなくてもよい。例えば、リード３９の断面形状が台形でバンク４２の断面形状が三角形であってもよい。
【００３７】
図１２は本発明の実施の形態を変形して得られる別の電気光学装置の概略を示す側面図である。この電気光学装置では、ＦＰＣを用いることなくＣＯＧ（chip on glass）方式によりＩＣ素子３６が主基板３１に直接的に実装されている。この電気光学装置の具体的な構成について以下に述べる。
図１３は図１２のＥ−Ｅ’断面図である。この図に示すように、ＩＣ素子３６の下面（主基板３１に対向する面）には内部の回路に電気的に接続されたバンプ４６が所定の間隔で配列されており、主基板３１には、バンプ４６と同一の間隔でパッド４０が配列されている。バンプ４６とパッド４０はＡＣＰ４１を用いて圧着されており、対向するバンプ４６およびパッド４０のみが導通するようになっている。もちろん、ＡＣＰ４１に代えてＡＣＦを用いてもよいし、バンプ４６とパッド４０とを直接的に接触させて導通させる構成としてもよい。バンプ４６はＩＣ素子３６からテーパ状に突出して形成されている。全てのバンプ４６の高さは同一であり、一般的なバンプよりも遥かに高くなっている。バンプ４６の具体的な高さとしては、例えば９〜１５μｍが好適である。また、パッド４０の間には主基板３１からテーパ状に突出した絶縁性のバンク４７が設けられている。このバンク４７が前述のバンク４２と異なる点は、パッド４０に対するバンク４７の高さがリード３９ではなくバンプ４６の高さ以下に制限されている点のみである。
この電気光学装置では、ＦＰＣ３５のリード３９の代わりにＩＣ素子３６のバンプ４６が用いられ、本発明の実施の形態またはその変形例により得られる効果と同様の効果が得られる。
【００３８】
また、電気光学パネル３０として画像表示用のＥＬパネルを有する電気光学装置を本発明の実施の形態として説明したが、他の電気光学パネルを有する電気光学装置にも上述した特徴を応用してもよい。例えば、本発明に係る電気光学装置の電気光学パネルは、画像表示用でなくてもよく、各種の露光用の電気光学パネルまたは照明用の電気光学パネルであってもよい。また、本発明に係る電気光学装置の電気光学パネルは、ＥＬパネルに限らず、他の種類の発光素子が配列された発光パネル（例えばプラズマ発光パネル）でもよいし、与えられた電気的エネルギにより光の透過率が変化するライトバルブ画素が多数配列されたライトバルブパネル、例えば液晶パネル、電気泳動ライトバルブパネルでもよい。
【００３９】
上述した実施の形態において、ＩＣ素子３６は、画像表示用の電気光学素子を駆動する走査線駆動回路およびデータ線駆動回路をそれぞれ内蔵するが、露光用または照明用の他の種類の駆動回路を内蔵していてもよい。また、ＩＣ素子３６は、電気光学素子を制御する他の種類の回路を内蔵していてもよい。ＩＣ素子３６の個数は、特に限定されない。
【００４０】
＜画像印刷装置＞
上記の変形例の電気光学装置の電気光学パネルは、電子写真方式を利用した画像印刷装置における像担持体に潜像を書き込むためのライン型の光ヘッドとして用いることが可能である。画像印刷装置の例としては、プリンタ、複写機の印刷部分およびファクシミリの印刷部分がある。
【００４１】
図１４は、上記の変形例の電気光学装置の電気光学パネルをライン型の光ヘッドとして用いた画像印刷装置の一例を示す縦断面図である。この画像印刷装置は、ベルト中間転写体方式を利用したタンデム型のフルカラー画像印刷装置である。
【００４２】
この画像印刷装置では、同様な構成の４個の有機ＥＬアレイ露光ヘッド１０Ｋ，１０Ｃ，１０Ｍ，１０Ｙが、同様な構成である４個の感光体ドラム（像担持体）１１０Ｋ，１１０Ｃ，１１０Ｍ，１１０Ｙの露光位置にそれぞれ配置されている。有機ＥＬアレイ露光ヘッド１０Ｋ，１０Ｃ，１０Ｍ，１０Ｙは上述した変形例の電気光学装置の電気光学パネルである。
【００４３】
図１４に示すように、この画像印刷装置には、駆動ローラ１２１と従動ローラ１２２が設けられており、これらのローラ１２１，１２２には無端の中間転写ベルト１２０が巻回されて、矢印に示すようにローラ１２１，１２２の周囲を回転させられる。図示しないが、中間転写ベルト１２０に張力を与えるテンションローラなどの張力付与手段を設けてもよい。
【００４４】
この中間転写ベルト１２０の周囲には、互いに所定間隔をおいて４個の外周面に感光層を有する感光体ドラム１１０Ｋ，１１０Ｃ，１１０Ｍ，１１０Ｙが配置される。添え字Ｋ，Ｃ，Ｍ，Ｙはそれぞれ黒、シアン、マゼンタ、イエローの顕像を形成するために使用されることを意味している。他の部材についても同様である。感光体ドラム１１０Ｋ，１１０Ｃ，１１０Ｍ，１１０Ｙは、中間転写ベルト１２０の駆動と同期して回転駆動される。
【００４５】
各感光体ドラム１１０（Ｋ，Ｃ，Ｍ，Ｙ）の周囲には、コロナ帯電器１１１（Ｋ，Ｃ，Ｍ，Ｙ）と、有機ＥＬアレイ露光ヘッド１０（Ｋ，Ｃ，Ｍ，Ｙ）と、現像器１１４（Ｋ，Ｃ，Ｍ，Ｙ）が配置されている。コロナ帯電器１１１（Ｋ，Ｃ，Ｍ，Ｙ）は、対応する感光体ドラム１１０（Ｋ，Ｃ，Ｍ，Ｙ）の外周面を一様に帯電させる。有機ＥＬアレイ露光ヘッド１０（Ｋ，Ｃ，Ｍ，Ｙ）は、感光体ドラムの帯電させられた外周面に静電潜像を書き込む。各有機ＥＬアレイ露光ヘッド１０（Ｋ，Ｃ，Ｍ，Ｙ）は、複数のＥＬ素子１６の配列方向が感光体ドラム１１０（Ｋ，Ｃ，Ｍ，Ｙ）の母線（主走査方向）に沿うように設置される。静電潜像の書き込みは、上記の複数のＥＬ素子１６により光を感光体ドラムに照射することにより行う。現像器１１４（Ｋ，Ｃ，Ｍ，Ｙ）は、静電潜像に現像剤としてのトナーを付着させることにより感光体ドラムに顕像すなわち可視像を形成する。
【００４６】
このような４色の単色顕像形成ステーションにより形成された黒、シアン、マゼンタ、イエローの各顕像は、中間転写ベルト１２０上に順次一次転写されることにより、中間転写ベルト１２０上で重ね合わされて、この結果フルカラーの顕像が得られる。中間転写ベルト１２０の内側には、４つの一次転写コロトロン（転写器）１１２（Ｋ，Ｃ，Ｍ，Ｙ）が配置されている。一次転写コロトロン１１２（Ｋ，Ｃ，Ｍ，Ｙ）は、感光体ドラム１１０（Ｋ，Ｃ，Ｍ，Ｙ）の近傍にそれぞれ配置されており、感光体ドラム１１０（Ｋ，Ｃ，Ｍ，Ｙ）から顕像を静電的に吸引することにより、感光体ドラムと一次転写コロトロンの間を通過する中間転写ベルト１２０に顕像を転写する。
【００４７】
最終的に画像を形成する対象としてのシート１０２は、ピックアップローラ１０３によって、給紙カセット１０１から１枚ずつ給送されて、駆動ローラ１２１に接した中間転写ベルト１２０と二次転写ローラ１２６の間のニップに送られる。中間転写ベルト１２０上のフルカラーの顕像は、二次転写ローラ１２６によってシート１０２の片面に一括して二次転写され、定着部である定着ローラ対１２７を通ることでシート１０２上に定着される。この後、シート１０２は、排紙ローラ対１２８によって、装置上部に形成された排紙カセット上へ排出される。
【００４８】
図１４の画像印刷装置は、書き込み手段として上記の変形例の電気光学装置を用いているので、レーザ走査光学系を用いた場合よりも、装置の小型化を図ることができる。また、上述した通り変形例の電気光学装置は従来よりも小型化することができるので、感光体ドラム１１０Ｋ，１１０Ｃ，１１０Ｍ，１１０Ｙに近い位置に配置することが可能であり、画像印刷装置もより小型化することが可能である。
【００４９】
次に、本発明に係る画像印刷装置の他の変形例について説明する。
図１５は、上記の変形例の電気光学装置の電気光学パネルをライン型の光ヘッドとして用いた他の画像印刷装置の縦断面図である。この画像印刷装置は、ベルト中間転写体方式を利用したロータリ現像式のフルカラー画像印刷装置である。図１５に示す画像印刷装置において、感光体ドラム（像担持体）１６５の周囲には、コロナ帯電器１６８、ロータリ式の現像ユニット１６１、有機ＥＬアレイ露光ヘッド１６７、中間転写ベルト１６９が設けられている。
【００５０】
コロナ帯電器１６８は、感光体ドラム１６５の外周面を一様に帯電させる。有機ＥＬアレイ露光ヘッド１６７は、感光体ドラム１６５の帯電させられた外周面に静電潜像を書き込む。有機ＥＬアレイ露光ヘッド１６７は、上述した変形例の電気光学装置であり、複数のＥＬ素子１６の配列方向が感光体ドラム１６５の母線（主走査方向）に沿うように設置される。静電潜像の書き込みは、上記の複数のＥＬ素子１６により光を感光体ドラムに照射することにより行う。
【００５１】
現像ユニット１６１は、４つの現像器１６３Ｙ，１６３Ｃ，１６３Ｍ，１６３Ｋが９０°の角間隔をおいて配置されたドラムであり、軸１６１ａを中心にして反時計回りに回転可能である。現像器１６３Ｙ，１６３Ｃ，１６３Ｍ，１６３Ｋは、それぞれイエロー、シアン、マゼンタ、黒のトナーを感光体ドラム１６５に供給して、静電潜像に現像剤としてのトナーを付着させることにより感光体ドラム１６５に顕像すなわち可視像を形成する。
【００５２】
無端の中間転写ベルト１６９は、駆動ローラ１７０ａ、従動ローラ１７０ｂ、一次転写ローラ１６６およびテンションローラに巻回されて、これらのローラの周囲を矢印に示す向きに回転させられる。一次転写ローラ１６６は、感光体ドラム１６５から顕像を静電的に吸引することにより、感光体ドラムと一次転写ローラ１６６の間を通過する中間転写ベルト１６９に顕像を転写する。
【００５３】
具体的には、感光体ドラム１６５の最初の１回転で、露光ヘッド１６７によりイエロー（Ｙ）像のための静電潜像が書き込まれて現像器１６３Ｙにより同色の顕像が形成され、さらに中間転写ベルト１６９に転写される。また、次の１回転で、露光ヘッド１６７によりシアン（Ｃ）像のための静電潜像が書き込まれて現像器１６３Ｃにより同色の顕像が形成され、イエローの顕像に重なり合うように中間転写ベルト１６９に転写される。そして、このようにして感光体ドラム９が４回転する間に、イエロー、シアン、マゼンタ、黒の顕像が中間転写ベルト１６９に順次重ね合わせられ、この結果フルカラーの顕像が転写ベルト１６９上に形成される。最終的に画像を形成する対象としてのシートの両面に画像を形成する場合には、中間転写ベルト１６９に表面と裏面の同色の顕像を転写し、次に中間転写ベルト１６９に表面と裏面の次の色の顕像を転写する形式で、フルカラーの顕像を中間転写ベルト１６９上で得る。
【００５４】
画像印刷装置には、シートが通過させられるシート搬送路１７４が設けられている。シートは、給紙カセット１７８から、ピックアップローラ１７９によって１枚ずつ取り出され、搬送ローラによってシート搬送路１７４を進行させられ、駆動ローラ１７０ａに接した中間転写ベルト１６９と二次転写ローラ１７１の間のニップを通過する。二次転写ローラ１７１は、中間転写ベルト１６９からフルカラーの顕像を一括して静電的に吸引することにより、シートの片面に顕像を転写する。二次転写ローラ１７１は、図示しないクラッチにより中間転写ベルト１６９に接近および離間させられるようになっている。そして、シートにフルカラーの顕像を転写する時に二次転写ローラ１７１は中間転写ベルト１６９に当接させられ、中間転写ベルト１６９に顕像を重ねている間は二次転写ローラ１７１から離される。
【００５５】
上記のようにして画像が転写されたシートは定着器１７２に搬送され、定着器１７２の加熱ローラ１７２ａと加圧ローラ１７２ｂの間を通過させられることにより、シート上の顕像が定着する。定着処理後のシートは、排紙ローラ対１７６に引き込まれて矢印Ｆの向きに進行する。両面印刷の場合には、シートの大部分が排紙ローラ対１７６を通過した後、排紙ローラ対１７６が逆方向に回転させられ、矢印Ｇで示すように両面印刷用搬送路１７５に導入される。そして、二次転写ローラ１７１により顕像がシートの他面に転写され、再度定着器１７２で定着処理が行われた後、排紙ローラ対１７６でシートが排出される。
【００５６】
図１５の画像印刷装置は、書き込み手段として有機ＥＬアレイを有する露光ヘッド１６７（上記の変形例の電気光学装置の電気光学パネル）を用いているので、レーザ走査光学系を用いた場合よりも、装置の小型化を図ることができる。また、上述した通り電気光学装置は従来よりも小型化することができるので、感光体ドラム１６５に近い位置に配置することが可能であり、画像印刷装置もより小型化することが可能である。
【００５７】
以上、上記の変形例の電気光学装置を応用可能な画像印刷装置を例示したが、他の電子写真方式の画像印刷装置にも上記の変形例の電気光学装置を応用することが可能であり、そのような画像印刷装置は本発明の範囲内にある。例えば、中間転写ベルトを使用せずに感光体ドラムから直接シートに顕像を転写するタイプの画像印刷装置や、モノクロの画像を形成する画像印刷装置にも上記の変形例の電気光学装置を応用することが可能である。
【００５８】
＜画像読み取り装置＞
また、上記の変形例の電気光学装置は、画像読み取り装置における読み取り対象に光を照射するためのライン型の光ヘッドとして用いることが可能である。画像読み取り装置の例としては、スキャナ、複写機の読み取り部分、ファクシミリの読み取り部分、バーコードリーダおよび、例えばＱＲコード（登録商標）のような二次元画像コードを読む二次元画像コードリーダがある。
【００５９】
図１６は、上記の変形例の電気光学装置をライン型の光ヘッドとして用いた画像読み取り装置の一例を示す縦断面図である。この画像読み取り装置のキャビネット２０１の上部には、平板状のプラテンガラス２０２が設けられており、プラテンガラス２０２には原稿２０３がその画像面を下方に向けて載置される。そして、図示しないプラテンカバーが原稿２０３をプラテンガラス２０２に向けて押さえる。
【００６０】
キャビネット２０１の内部には、高速キャリッジ２０４と低速キャリッジ２０５が横方向に移動可能に配置されている。高速キャリッジ２０４には原稿２０３を照射する有機ＥＬアレイ露光ヘッド２０６と反射鏡２０７が搭載されており、低速キャリッジ２０５には二つの反射鏡２０８，２０９が搭載されている。これらの有機ＥＬアレイ露光ヘッド２０６および反射鏡２０７，２０８，２０９は図１６の紙面垂直方向（主走査方向）に延びている。また、有機ＥＬアレイ露光ヘッド２０６は、複数のＥＬ素子１６の配列方向が主走査方向に沿うように設置される。
【００６１】
また、キャビネット２０１の内部の固定位置には、原稿読み取り器２１０が配置されている。この原稿読み取り器２１０は、結像レンズ２１２と、多数の感光画素（電荷結合素子）から構成されるラインセンサ（受光装置）２１３を備える。ラインセンサ２１３は図１６の紙面垂直方向（主走査方向）に延びており、複数の感光画素の配列方向が主走査方向に沿うように設置される。
【００６２】
有機ＥＬアレイ露光ヘッド２０６から発した光は、プラテンガラス２０２を透過して原稿２０３の下面で反射する。原稿２０３からの反射光は、プラテンガラス２０２を透過し、反射鏡２０７〜２０９で反射した後、結像レンズ２１２によりラインセンサ２１３で結像する。高速キャリッジ２０４は横方向に移動して、原稿２０３の全面が有機ＥＬアレイ露光ヘッド２０６で照射されるようにし、低速キャリッジ２０５は高速キャリッジ２０４の半分の速度で移動して、原稿２０３からラインセンサ２１３に到る反射光路の長さを一定に維持する。
【００６３】
以上、上記の変形例の電気光学装置を応用可能な画像読み取り装置を例示したが、他の画像読み取り置にも上記の変形例の電気光学装置を応用することが可能であり、そのような画像読み取り装置は本発明の範囲内にある。例えば、受光装置が照明装置としての電気光学装置と共に移動してもよいし、受光装置と電気光学装置が共に固定されて原稿または読み取り対象が移動して読み取られるようにしてもよい。
【図面の簡単な説明】
【００６４】
【図１】従来の電気光学装置の側面図である。
【図２】図１のＦＰＣ２０の下面図である。
【図３】図１のＢ−Ｂ’断面図である。
【図４】本発明の実施の形態に係る電気光学装置１０の概略を示す側面図である。
【図５】図４のＦＰＣ３５の下面図である。
【図６】図４のＤ−Ｄ’断面図である。
【図７】本発明の実施の形態に係る電気光学装置の製造方法の一工程を示す図である。
【図８】図７の次の工程を示す図である。
【図９】図８の次の工程を示す図である。
【図１０】本発明の実施の形態を変形して得られる電気光学装置の製造方法の一工程を示す図である。
【図１１】本発明の実施の形態を変形して得られる電気光学装置の概略を示す断面図である。
【図１２】本発明の実施の形態を変形して得られる別の電気光学装置の概略を示す側面図である。
【図１３】図１２のＥ−Ｅ’断面図である。
【図１４】本発明の変形例の電気光学装置の電気光学パネルをライン型の光ヘッドとして用いた画像印刷装置の一例を示す縦断面図である。
【図１５】本発明の変形例の電気光学装置の電気光学パネルをライン型の光ヘッドとして用いた画像印刷装置の他の例を示す縦断面図である。
【図１６】本発明の変形例の電気光学装置をライン型の光ヘッドとして用いた画像読み取り装置の一例を示す縦断面図である。
【符号の説明】
【００６５】
１０…電気光学装置、３０…電気光学パネル、３１…主基板、３２…封止体、３３…ＥＬ素子（エレクトロルミネセント素子、電気光学素子）、３４…ＣＯＦ（chip on film）アセンブリ、３５…ＦＰＣ（フレキシブルプリント基板）、３６…ＩＣ素子（集積回路素子）、３７…一次配線、３８…二次配線、３９…リード、４０…パッド、４１…ＡＣＰ（異方性導電ペースト）、４２，４７…バンク、４３…圧着ヘッド、４４…ＡＣＦ（異方性導電フィル）、４５…接着剤、４６…バンプ。
【図１】
2006251281.tif 000003
【図２】
2006251281.tif 000004
【図３】
2006251281.tif 000005
【図４】
2006251281.tif 000006
【図５】
2006251281.tif 000007
【図６】
2006251281.tif 000008
【図７】
2006251281.tif 000009
【図８】
2006251281.tif 000010
【図９】
2006251281.tif 000011
【図１０】
2006251281.tif 000012
【図１１】
2006251281.tif 000013
【図１２】
2006251281.tif 000014
【図１３】
2006251281.tif 000015
【図１４】
2006251281.tif 000016
【図１５】
2006251281.tif 000017
【図１６】
2006251281.tif 000018